(57)【要約】【課題】出力電圧を安定させ、発熱量を削減し、使用寿命を延長することができる電源補助回路の提供。【解決手段】電源補助回路１００は、電源入力ユニット１、電圧調整ユニット４、整流ユニット３、フィルターユニット７、電源出力ユニット２、フィードバックユニット８、スイッチユニット６、一方通行導通ユニット５を備え、電圧調整ユニット４は電源入力ユニット１からの電圧を下げ、整流ユニット３は電圧調整ユニット４が出力した交流電力を直流電力に転換し、フィードバックユニット８は電源出力ユニット２の電圧を探知し、探知により得られた探知電圧とフィードバックユニット８内の基準電圧とを比較し、これにより制御信号を出力し、スイッチユニット６はフィードバックユニット８の制御信号を受信し、探知電圧が基準電圧より大きい或いは大きくない時には、スイッチユニット６を制御し、オン或いはオフとし、こうして電源出力ユニット２の電圧を制御し、電源出力ユニット２は整流後の安定電圧を他の回路に提供する。【選択図】図１
2010252459.tif 000002
【特許請求の範囲】
【請求項１】
電源入力ユニット、電圧調整ユニット、整流ユニット、フィルターユニット、電源出力ユニット、フィードバックユニット、スイッチユニット、一方通行導通ユニットを備え、  前記電圧調整ユニットは、前記電源入力ユニットからの高電圧を低下させ低電圧とし、  前記整流ユニットは、前記電圧調整ユニットが出力した交流電力を直流電力に転換し、  前記フィルターユニットは、前記整流ユニットが整流後の電圧をフィルタリングし、出力し、
前記電源出力ユニットは、前記フィルターユニットのフィルタリング後の電圧を他の制御回路、駆動回路、或いはICに提供し、作動に必要な電源とし、
前記フィードバックユニットは、前記電源出力ユニットの電圧を探知し、探知により得られた探知電圧と前記フィードバックユニット内の基準電圧とを比較し、これにより制御信号を出力し、
前記スイッチユニットは、前記フィードバックユニットの制御信号を受信し、探知電圧が前記基準電圧より大きい或いは大きくない時には、前記スイッチユニットを制御し、オン或いはオフとし、こうして前記電源出力ユニットの電圧を制御し、
前記一方通行導通ユニットの一端と前記スイッチユニットの電極とは、電気的に連接し、反対端は前記電源出力ユニットに電気的に連接し、前記一方通行導通ユニットは、出力された電流の回流を防止することを特徴とする電源補助回路。
【請求項２】
請求項１記載の電源補助回路において、前記整流ユニットは、正極連接端と負極連接端を備え、
前記スイッチユニットは、トランジスターで、前記トランジスターのコレクター極と前記正極連接端とは電気的に連接し、前記スイッチユニットのエミッター極と負極連接端とは電気的に連接し、ベース極は前記フィードバックユニットに電気的に連接することを特徴とする電源補助回路。
【請求項３】
請求項１記載の電源補助回路において、前記フィードバックユニットが探知した出力電圧が、基準電圧より大きくない時には、前記フィードバックユニットは、オフ制御信号を前記スイッチユニットへと伝送し、前記スイッチユニットを制御しオフとし、こうして電流を直接出力することを特徴とする電源補助回路。
【請求項４】
請求項１記載の電源補助回路において、前記フィードバックユニットが探知した出力電圧が、基準電圧より大きい時には、前記フィードバックユニットは、オン制御信号を前記スイッチユニットへと伝送し、前記スイッチユニットを制御しオンとし、こうして電流は、前記スイッチユニットを経て、前記電源入力のヌルラインエンドへと回流することを特徴とする電源補助回路。
【発明の詳細な説明】
【技術分野】
【０００１】
本発明は電源回路に関し、特に電源補助回路に関する。
【背景技術】
【０００２】
電子製品中の回路、或いはIＣが必要とする電源は、直流で電圧が小さく、しかも安定した電源である。しかし、外部から提供される電源の多くは、交流で、しかも不安定である。そのため、電子製品には、電源補助回路を設置する必要がある。
【０００３】
図２に示すように、特許文献１が掲示する電源補助回路は、降圧に用いるキャパシターＣ１とキャパシターＣ３、及び整流に用いるダイオードＤ１とダイオードＤ２、さらに整流後の電源に対してフィルタリングを行うキャパシターＣ２を備える。しかし、上記した回路は電圧安定の機能を備えていないため、出力された電圧は高低の変化を生じ、安定的な電圧を必要とする回路或いはICには適していない。
【０００４】
次に図３、図４に示す従来の補助回路は、電圧安定の機能を備える。該各回路は共に、電圧安定ダイオードＤ３、電圧安定ダイオードＤ５を採用し、電圧を安定させ、出力電圧の安定を実現している。しかし、電圧安定ダイオードを採用し電圧を安定させる場合に、負荷が電源補助回路を離脱する時には、電圧安定ダイオードはハイパワーの電流を受け、大部分の電流は電圧安定ダイオード上で損耗されてしまう。こうして、大量に発熱し、その寿命を短くしてしまっている。
【先行技術文献】
【特許文献】
【０００５】
【特許文献１】特許公開第2000-14151号明細書
【発明の概要】
【発明が解決しようとする課題】
【０００６】
本発明の目的は、従来の技術に存在する欠陥に対処すべく、安定電圧を出力可能で、発熱量が少なく、使用寿命が長い電源補助回路を提供することである。
【課題を解決するための手段】
【０００７】
本発明は下記の電源補助回路を提供する。
電源補助回路は、制御回路、駆動回路、或いはICに、作動に必要な安定的な電源を提供し、電源入力ユニット、電圧調整ユニット、整流ユニット、フィルターユニット、電源出力ユニット、フィードバックユニット、スイッチユニット、一方通行導通ユニットを備え、
該電圧調整ユニットは、該電源入力ユニットからの高電圧を低下させ低電圧とし、
該整流ユニットは、該電圧調整ユニットが出力した交流電力を直流電力に転換し、
該フィルターユニットは、該整流ユニットが整流後の電圧をフィルタリングし、出力し、
該電源出力ユニットは、該フィルターユニットのフィルタリング後の電圧を他の制御回路、駆動回路、或いはICに提供し、作動に必要な電源とし、
該フィードバックユニットは、該電源出力ユニットの電圧を探知し、探知により得られた探知電圧と該フィードバックユニット内の基準電圧とを比較し、これにより制御信号を出力し、
該スイッチユニットは、該フィードバックユニットの制御信号を受信し、探知電圧が該基準電圧より大きい或いは大きくない時には、該スイッチユニットを制御し、オン或いはオフとし、こうして該電源出力ユニットの電圧を制御し、
該一方通行導通ユニットの一端と該スイッチユニットの電極とは、電気的に連接し、反対端は該電源出力ユニットに電気的に連接し、該一方通行導通ユニットは、出力された電流の回流を防止する。
【発明の効果】
【０００８】
本発明電源補助回路は、フィードバックユニットにより電源出力ユニットの電圧を探知し、制御信号をスイッチユニットへと出力し、こうしてスイッチユニットをオン或いはオフとするため、電圧安定ダイオードなどの電子部品を用いずに、出力電圧に対する制御を実現することができ、最終的に、出力電圧の安定、発熱量の削減、使用寿命の延長を達成することができる。
【図面の簡単な説明】
【０００９】
【図１】本発明一実施例による電源補助回路の回路図である。
【図２】従来の電源補助回路の回路図である。
【図３】従来の電源補助回路の回路図である。
【図４】従来の電源補助回路の回路図である。
【発明を実施するための形態】
【００１０】
図１に示すように、本発明の電源補助回路１００は、電源入力ユニット１、電源出力ユニット２、整流ユニット３、電圧調整ユニット４、一方通行導通ユニット５、スイッチユニット６、フィルターユニット７、フィードバックユニット８を備える。電源入力ユニット１は、第一入力連接端Ｐ１、第二入力連接端Ｐ２を備える。第一入力連接端Ｐ１と第二入力連接端Ｐ２は、外部から入力される交流電源との連接に用いる。電源出力ユニット２は、正極出力連接端Ｐ３と負極出力連接端Ｐ４を備える。電源出力ユニット２は、フィルターユニット７が出力する安定電圧を、他の制御回路に、作動に必要な安定電圧として提供する。
【００１１】
整流ユニット３は、第一連接端ａ、第二連接端ｂ、正極連接端ｃ、負極連接端ｄを備える。整流ユニット３は、半波整流、或いは全波整流である。第一入力連接端Ｐ１と第一連接端ａとの間には、電圧調整ユニット４を連接する。本実施例中の電圧調整ユニット４は、降圧キャパシターＣ１で、電圧調整ユニット４は、電源入力ユニット１の電圧を降下させた後、整流ユニット３に出力し、第二連接端ｂと第二入力連接端Ｐ２は相互に連接する。負極連接端ｄは、負極出力連接端Ｐ４に電気的に接続する。整流ユニット３は、電圧調整ユニット４を経て調整後の交流電源を直流電源に転換する。
【００１２】
整流ユニット３の正極連接端ｃと電源出力ユニット２の正極出力連接端Ｐ３との間には、一方通行導通ユニット５を電気的に連接する。本実施例中の一方通行導通ユニット５は、ダイオードＤで、出力電流の回流を防止する。スイッチユニット６は、トランジスターＴで、トランジスターＴのコレクター極と整流ユニット３の正極連接端ｃとは、電気的に連接する。トランジスターＴのエミッター極と整流ユニット３の負極連接端ｄとは、電気的に連接し、アースする。ベース極は、フィードバックユニット８に電気的に連接する。フィルターユニット７は、電解キャパシターＣ２で、フィルターユニット７の一端は、一方通行導通ユニット５の電源出力ユニット２の正極出力連接端Ｐ３に電気的に連接し、反対端は、トランジスターＴのエミッター極と電源出力ユニット２の負極出力連接端Ｐ４との間に電気的に連接し、整流ユニット３が出力する電圧をフィルタリングする。
【００１３】
フィードバックユニット８と電源出力ユニット２の正極出力連接端Ｐ３、及び電源出力ユニット２の負極出力連接端Ｐ４とは、電気的に連接する。フィードバックユニット８には、電圧基準値を設置し、フィードバックユニット８は、電源出力ユニット２の電圧を探知し、探知により得られた電圧と、フィードバックユニット８内の基準電圧を比較し、これにより制御信号をトランジスターＴへと出力する。トランジスターＴは、フィードバックユニット８の制御信号を受信する。探知電圧が基準電圧より大きい時には、トランジスターＴは導通し、こうして正極連接端ｃの電流の一部は、トランジスターＴにより、電源入力ユニット１の第二入力連接端Ｐ２へと導引され、すなわちヌルライン（null line）エンドである。探知探知電圧が基準電圧より大きくない時には、スイッチユニットオフとなり、電流は正極連接端ｃから、ダイオードＤを経て、電源出力ユニット２に伝えられ、こうして出力電圧の安定的な出力を実現する。
【００１４】
本発明電源補助回路１００は、フィードバックユニット８により電源出力ユニット２の電圧を探知し、制御信号をスイッチユニット６へと出力し、こうしてスイッチユニット６をオン或いはオフとするため、電圧安定ダイオードなどの電子部品を用いずに、出力電圧に対する制御を実現することができ、最終的に、出力電圧の安定、発熱量の削減、使用寿命の延長を達成することができる。
【符号の説明】
【００１５】
１００  電源補助回路
１  電源入力ユニット
Ｐ１  第一入力連接端
Ｐ２  第二入力連接端
２  電源出力ユニット
Ｐ３  正極出力連接端
Ｐ４  負極出力連接端
３  整流ユニット
ａ  第一連接端
ｂ  第二連接端
ｃ  正極連接端
ｄ  負極連接端
４  電圧調整ユニット
Ｃ１  降圧キャパシター
５  一方通行導通ユニット
Ｄ  ダイオード
６  スイッチユニット
Ｔ  トランジスター
７  フィルターユニット
Ｃ２  電解キャパシター
８  フィードバックユニット
【図１】
2010252459.tif 000003
【図２】
2010252459.tif 000004
【図３】
2010252459.tif 000005
【図４】
2010252459.tif 000006